(57)【特許請求の範囲】
【請求項１】
広域通信網における通信経路を検知する経路検知装置であって、
送信装置から前記広域通信網を介して受信装置に送信される試験信号を受信し、当該試験信号に基づいて、通信経路を検知するためのルート検知信号を生成する検知信号生成手段と、
前記試験信号とともに、前記ルート検知信号を送信する送信手段と、
前記ルート検知信号に対する応答信号を、前記試験信号が通過したフィルタ装置各々から収集し、前記試験信号が通過した光ファイバの通信経路を示す経路情報を生成する経路情報生成手段と、を有し、
前記試験信号および前記ルート検知信号は、光信号であって、
前記検知信号生成手段は、前記試験信号の波長とは異なる、所定の範囲の複数の波長から構成されるルート検知信号を生成し、
前記送信手段は、前記試験信号と前記ルート検知信号とを波長多重して同じ通信経路で送信すること
を特徴とする経路検知装置。
【請求項２】
請求項１記載の経路検知装置であって、
前記応答信号各々は、前記ルート検知信号のいずれかの波長の光だけを反射した反射波であること
を特徴とする経路検知装置。
【請求項３】
請求項２記載の経路検知装置であって、
前記経路情報生成手段は、前記収集した応答信号各々の反射波を含む経路情報を生成すること
を特徴とする経路検知装置。
【請求項４】
請求項１から３のいずれか１項に記載の経路検知装置であって、
前記経路情報生成手段は、前記生成した経路情報を、経路情報記憶手段に書き込むこと
を特徴とする経路検知装置。
【請求項５】
広域通信網における通信経路を検知する経路検知システムであって、
前記広域通信網に接続された送信装置と、通信経路を検知する経路検知装置と、少なくとも１つのフィルタ装置とを有し、
前記送信装置は、
前記広域通信網を介して受信装置に送信する試験信号を生成し、当該試験信号を前記広域通信網に送出し、
前記経路検知装置は、
前記送信装置から出力された試験信号に基づいて、通信経路を検知するためのルート検知信号を生成する検知信号生成手段と、
前記試験信号とともに、前記ルート検知信号を送信する送信手段と、
前記試験信号が通過した前記フィルタ装置各々から、前記ルート検知信号に対する応答信号を収集し、前記試験信号が通過した光ファイバの通信経路を示す経路情報を生成する経路情報生成手段と、を有し、
前記試験信号および前記ルート検知信号は、光信号であって、
前記検知信号生成手段は、前記試験信号の波長とは異なる、所定の範囲の複数の波長から構成されるルート検知信号を生成し、
前記送信手段は、前記試験信号と前記ルート検知信号とを波長多重して同じ通信経路で送信し、
前記フィルタ装置各々は、
前記ルート検知信号のいずれかの波長の光のみを反射した応答信号を、前記経路検知装置に送出すること
を特徴とする経路検知システム。
【請求項６】
広域通信網における通信経路を検知する経路検知方法であって、
送信装置から前記広域通信網を介して受信装置に送信される試験信号を受信し、当該試験信号に基づいて、通信経路を検知するためのルート検知信号を生成する検知信号生成ステップと、
前記試験信号とともに、前記ルート検知信号を送信する送信ステップと、
前記ルート検知信号に対する応答信号を、前記試験信号が通過したフィルタ装置各々から収集し、前記試験信号が通過した光ファイバの通信経路を示す経路情報を生成する経路情報生成ステップと、を行い、
前記試験信号および前記ルート検知信号は、光信号であって、
前記検知信号生成ステップは、前記試験信号の波長とは異なる、所定の範囲の複数の波長から構成されるルート検知信号を生成し、
前記送信ステップは、前記試験信号と前記ルート検知信号とを波長多重して同じ通信経路で送信すること
を特徴とする経路検知方法。
【請求項７】
情報処理装置が実行する、広域通信網における通信経路を検知する経路検知プログラムであって、
前記情報処理装置に、
送信装置から前記広域通信網を介して受信装置に送信される試験信号を受信し、当該試験信号に基づいて、通信経路を検知するためのルート検知信号を生成する検知信号生成ステップと、
前記試験信号とともに、前記ルート検知信号を送信する送信ステップと、
前記ルート検知信号に対する応答信号を、前記試験信号が通過したフィルタ装置各々から収集し、前記試験信号が通過した光ファイバの通信経路を示す経路情報を生成する経路情報生成ステップと、を実行させ、
前記試験信号および前記ルート検知信号は、光信号であって、
前記検知信号生成ステップは、前記試験信号の波長とは異なる、所定の範囲の複数の波長から構成されるルート検知信号を生成し、
前記送信ステップは、前記試験信号と前記ルート検知信号とを波長多重して同じ通信経路で送信すること
を特徴とする経路検知プログラム。
【請求項８】
請求項７記載の経路検知プログラムで生成された経路情報を用いて、前記広域通信網における試験信号の伝送ルート情報を生成する伝送ルート情報生成プログラムであって、
情報処理装置に、
前記経路情報を取得する取得ステップと、
前記経路情報に設定された応答信号の各々について、前記試験信号が通過し当該応答信号を出力したフィルタ装置の装置ＩＤおよび設置場所を特定する特定ステップと、
前記応答信号を出力した各フィルタ装置の装置ＩＤおよび設置場所を含む、試験信号の伝送ルート情報を生成する生成ステップと、  
を実行させるための伝送ルート情報生成プログラム。
【発明の詳細な説明】
【技術分野】
【０００１】
本発明は、広域通信網における通信経路を検知する技術に関する
【背景技術】
【０００２】
遠隔地に存在するＬＡＮ（Local Area Network）同士、または、端末とホストコンピュータとを接続するためのＷＡＮ（Wide Area Network：広域通信網）サービスが存在する。現在のＷＡＮサービスの主流としては、広域イーサネット（登録商標）サービスや、ＩＰ−ＶＰＮ（Internet Protocol-Virtual Private Network）サービスがある。
【０００３】
広域イーサネット（登録商標）サービスは、イーサネット（登録商標）のフレームを透過的に転送するＬＡＮ間接続サービスである。また、ＩＰ−ＶＰＮサービスは、伝送プロトコルをＩＰに制限した仮想閉域網サービスである。ＩＰ−ＶＰＮサービスについては、例えば、特許文献１に記載されている。
【特許文献１】特開２００５−１５１０２１
【発明の開示】
【発明が解決しようとする課題】
【０００４】
さて、ＷＡＮサービスでは、ネットワークの信頼性を確保するために、各ノード間の伝送路を通常ルートとバックアップルートの２つのルートを備えている場合が多い。
【０００５】
ここで、広域イーサネット（登録商標）サービスは、図９（ａ）に示すように、データリンク層をベースとしたレイヤ２でのサービスをユーザに提供している。また、ＩＰ−ＶＰＮサービスは、図９（ｂ）に示すように、ネットワーク層をベースとしたレイヤ３でのサービスを提供している。
【０００６】
レイヤ２およびレイヤ３では、下位レイヤであるレイヤ１（物理層）の光ファイバーの影響を受けないプロトコルとなっているため、光ファイバーの構成を取得することができない。すなわち、レイヤ２およびレイヤ３では、伝送ルートが通常ルートからバックアップルートに変更されている場合であっても、伝送ルートの変更を検知することができない。
【０００７】
そのため、現在利用されている伝送ルートがどの光ファイバーであるかを確認することが困難であり、また、通常ルートとバックアップルートがあるポイントから同一ルートを通っていても検知することが困難である。したがって、伝送ルートが１本切れた場合の全断リスクが増大することや、故障時の原因特定が困難になるなど、信頼性が低下してしまうおそれがある。
【０００８】
本発明は上記事情に鑑みてなされたものであり、本発明の目的は、広域通信網における通信経路を容易に検知し、広域通信網の信頼性をより向上することにある。
【課題を解決するための手段】
【０００９】
上記課題を解決するために、例えば、本発明は、広域通信網における通信経路を検知する経路検知装置であって、送信装置から前記広域通信網を介して受信装置に送信される試験信号を受信し、当該試験信号に基づいて、通信経路を検知するためのルート検知信号を生成する検知信号生成手段と、前記試験信号とともに、前記ルート検知信号を送信する送信手段と、前記ルート検知信号に対する応答信号を、前記試験信号が通過したフィルタ装置各々から収集し、前記試験信号が通過した光ファイバの通信経路を示す経路情報を生成する経路情報生成手段と、を有し、前記試験信号および前記ルート検知信号は、光信号であって、前記検知信号生成手段は、前記試験信号の波長とは異なる、所定の範囲の複数の波長から構成されるルート検知信号を生成し、前記送信手段は、前記試験信号と前記ルート検知信号とを波長多重して同じ通信経路で送信する。
また、本発明は、広域通信網における通信経路を検知する経路検知システムであって、前記広域通信網に接続された送信装置と、通信経路を検知する経路検知装置と、少なくとも１つのフィルタ装置とを有し、前記送信装置は、前記広域通信網を介して受信装置に送信する試験信号を生成し、当該試験信号を前記広域通信網に送出し、前記経路検知装置は、前記送信装置から出力された試験信号に基づいて、通信経路を検知するためのルート検知信号を生成する検知信号生成手段と、前記試験信号とともに、前記ルート検知信号を送信する送信手段と、前記試験信号が通過した前記フィルタ装置各々から、前記ルート検知信号に対する応答信号を収集し、前記試験信号が通過した光ファイバの通信経路を示す経路情報を生成する経路情報生成手段と、を有し、前記試験信号および前記ルート検知信号は、光信号であって、前記検知信号生成手段は、前記試験信号の波長とは異なる、所定の範囲の複数の波長から構成されるルート検知信号を生成し、前記送信手段は、前記試験信号と前記ルート検知信号とを波長多重して同じ通信経路で送信し、前記フィルタ装置各々は、前記ルート検知信号のいずれかの波長の光のみを反射した応答信号を、前記経路検知装置に送出する。
【００１０】
また、本発明は、広域通信網における通信経路を検知する経路検知方法であって、送信装置から前記広域通信網を介して受信装置に送信される試験信号を受信し、当該試験信号に基づいて、通信経路を検知するためのルート検知信号を生成する検知信号生成ステップと、前記試験信号とともに、前記ルート検知信号を送信する送信ステップと、前記ルート検知信号に対する応答信号を、前記試験信号が通過したフィルタ装置各々から収集し、前記試験信号が通過した光ファイバの通信経路を示す経路情報を生成する経路情報生成ステップと、を行い、前記試験信号および前記ルート検知信号は、光信号であって、前記検知信号生成ステップは、前記試験信号の波長とは異なる、所定の範囲の複数の波長から構成されるルート検知信号を生成し、前記送信ステップは、前記試験信号と前記ルート検知信号とを波長多重して同じ通信経路で送信する。
【００１１】
また、本発明は、情報処理装置が実行する、広域通信網における通信経路を検知する経路検知プログラムであって、前記情報処理装置に、送信装置から前記広域通信網を介して受信装置に送信される試験信号を受信し、当該試験信号に基づいて、通信経路を検知するためのルート検知信号を生成する検知信号生成ステップと、前記試験信号とともに、前記ルート検知信号を送信する送信ステップと、前記ルート検知信号に対する応答信号を、前記試験信号が通過したフィルタ装置各々から収集し、前記試験信号が通過した光ファイバの通信経路を示す経路情報を生成する経路情報生成ステップと、を実行させ、前記試験信号および前記ルート検知信号は、光信号であって、前記検知信号生成ステップは、前記試験信号の波長とは異なる、所定の範囲の複数の波長から構成されるルート検知信号を生成し、前記送信ステップは、前記試験信号と前記ルート検知信号とを波長多重して同じ通信経路で送信する。
また、本発明は、前記経路検知プログラムで生成された経路情報を用いて、前記広域通信網における試験信号の伝送ルート情報を生成する伝送ルート情報生成プログラムであって、情報処理装置に、前記経路情報を取得する取得ステップと、前記経路情報に設定された応答信号の各々について、前記試験信号が通過し当該応答信号を出力したフィルタ装置の装置ＩＤおよび設置場所を特定する特定ステップと、前記応答信号を出力した各フィルタ装置の装置ＩＤおよび設置場所を含む、試験信号の伝送ルート情報を生成する生成ステップと、を実行させる。
【発明の効果】
【００１２】
本発明により、広域通信網における通信経路をより容易に検知し、広域通信網の信頼性をより向上することができる。
【発明を実施するための最良の形態】
【００１３】
以下、本発明の実施の形態について説明する。
【００１４】
図１は、本発明の一実施形態が適用された経路検知システムの全体構成図である。
【００１５】
図示する経路検知システムは、第１のユーザ拠点１のシステムと、第２のユーザ拠点２のシステムとが、ＷＡＮ（Wide Area Network）３により接続されている。ＷＡＮ３には、広域イーサネット（登録商標）、ＩＰ−ＶＰＮ（Internet Protocol-Virtual Private Network）などを用いることが考えられる。なお、本実施形態では、ＷＡＮ３に広域イーサネット（登録商標）を用いる場合を例に以下説明する。
【００１６】
第１のユーザ拠点１では、試験信号送信装置１１および所定の業務で使用する業務装置（サーバ、クライアント、プリンタなど）１２が、ＬＡＮ１３に接続されている。そして、ＬＡＮ１３に接続されたこれらの装置１１、１２は、アクセス回線終端装置１４を介してＷＡＮ３に接続されている。
【００１７】
試験信号送信装置１１は、試験信号を生成し、生成した試験信号をＷＡＮ３を介して第２のユーザ拠点２の試験信号受信装置２１に送信する。試験信号は、ＷＡＮ３における通信経路（伝送ルート）を検知するための送信データ（送信情報）である。なお、試験信号については後述する。
【００１８】
第２のユーザ拠点２では、試験信号受信装置２１および所定の業務で使用する業務装置（サーバ、クライアント、プリンタなど）２２が、ＬＡＮ２３に接続されている。そして、ＬＡＮ２３に接続されたこれらの装置２１、２２は、アクセス回線終端装置２４を介してＷＡＮ３に接続されている。試験信号受信装置２１は、試験信号送信装置１１が送信した試験信号を受信する。
【００１９】
ＷＡＮ３は、ネットワークの入り口にあるエッジスイッチ３１および中継スイッチ３４と、スイッチ３１、３４間で対向して配置される伝送装置３２と、伝送装置３２間で対向して配置される経路検知装置３３とを有する。また、本実施形態の通信ケーブル３５は、光ファイバーであって、２重化されているものとする。
【００２０】
なお、ＷＡＮ３がＩＰ−ＶＰＮの場合、エッジスイッチ３１の替わりにエッジルータが、また中継スイッチ３４の替わりに中継ルータが用いられる。
【００２１】
各経路検知装置３３は、当該経路検知装置３３と対向して配置された経路検知装置３３との伝送区間に敷設された光ファイバー３５の通信経路を検知する。また、経路検知装置３３各々は、ＷＡＮ３の通信経路とは異なるチャネルで管理装置４と接続され、検知した通信経路の情報を管理装置４の経路情報ＤＢ４２に書き込む。
【００２２】
管理装置４は、各経路検知装置３３が生成した経路情報を一元的に管理する。図示する管理装置４は、制御部４１と、経路情報ＤＢ４２と、装置管理テーブル４３と、を有する。制御部４１は、経路検知装置３３から受け付けた経路情報を経路情報ＤＢ４２に書き込むとともに、試験信号送信装置１１（または試験信号受信装置２１）に試験信号の伝送経路を提供する。装置管理テーブル４３は、経路検知装置３３および光波長フィルタ装置の各種の情報が記憶されたテーブルである。なお、経路情報ＤＢ４２および装置管理テーブル４３については後述する。
【００２３】
次に、ＷＡＮ３の各スイッチ３１、３４間の機器構成について、さらに詳しく説明する。
【００２４】
図２は、図１に示す第１のユーザ拠点１側のエッジスイッチ３１と、中継スイッチ３４との間の機器構成を例として示したものである。図示する例では、エッジスイッチ３１と中継スイッチ３４とは、伝送装置３２、経路検知装置３３、光波長フィルタ装置３７、光クロスコネクト３９を介して接続されている。また、対向する伝送装置３２間の伝送区間は、障害時に備えて複数の伝送経路を有するものとする。すなわち、各伝送装置３２からは２本の光ファイバー３５が接続され、光ファイバー３５毎に経路検知装置３３が接続されている。また、伝送区間の所定のポイントに光クロスコネクト３９が設置され、所定の光ファイバー３５から入力された光信号の出力先を、任意の光ファイバー３５へ切り換えることができるものとする。
【００２５】
また、光ファイバー３５は一般的に複数の光ファイバーをつなげて延長するため、光ファイバー接続コネクタ箇所各々に、または、所定の光ファイバー接続コネクタ箇所に、光波長フィルタ装置３７が設置される。
【００２６】
光波長フィルタ装置３７は、光ファイバー３５を介して伝送される光信号の中で、特定の波長のみを反射し、他の波長は透過する装置である。なお、光波長フィルタ装置３７は、経路検知装置３３と光クロスコネクト３９との間の光ファイバー３５に、また、光クロスコネクト３９間の光ファイバー３５に、それぞれ少なくとも１つ設置されているものとする。また、光波長フィルタ装置３７については後述する。  
なお、ＷＡＮ３の他のスイッチ３１、３４間の機器構成についても、図２と同様である。
【００２７】
次に、経路検知装置３３について説明する。
【００２８】
図３は、経路検知装置３３の機能ブロック図である。図示する経路検知装置３３は、伝送装置３２から受け付けた信号を複写する光複写部８１と、光信号を電気信号に変換するとともにルート検知信号を生成するＥ／Ｏ変換部８２と、受け付けた信号が試験信号か否かを判別する判別部８３と、対象となる試験信号の条件を設定する検知条件設定部８４と、試験信号とルート検知信号とを光波長多重して送出する波長多重部８５と、光ファイバー３５に接続する光コネクト部８６と、光コネクト部８６が備える光波長フィルタ部９５と、光ファイバー３５から受け付けた信号を解析する信号解析部９１と、経路情報を生成する経路情報生成部９２と、管理装置４に接続するコネクト部９３と、を有する。
【００２９】
上記説明した、試験信号送信装置１１、試験信号受信装置２１、経路検知装置３３、および管理装置４は、いずれも、ＣＰＵと、メモリと、外部記憶装置と、通信制御装置と、を備えた汎用的なコンピュータシステムを用いることができる。このコンピュータシステムにおいて、ＣＰＵがメモリ上にロードされた所定のプログラムを実行することにより、各装置の各機能が実現される。
【００３０】
例えば、試験信号送信装置１１、試験信号受信装置２１、経路検知装置３３および管理装置４の各機能は、試験信号送信装置１１用のプログラムの場合は試験信号送信装置１１のＣＰＵが、試験信号受信装置２１用のプログラムの場合は試験信号受信装置２１のＣＰＵが、経路検知装置３３用のプログラムの場合は経路検知装置３３のＣＰＵが、そして、管理装置４用のプログラムの場合は管理装置４のＣＰＵが、それぞれ実行することにより実現される。
【００３１】
次に、試験信号送信装置１１が、試験信号を試験信号受信装置２１に送信する処理について、説明する。
【００３２】
図４は、試験信号送信装置１１が生成した試験信号が、所定の伝送区間において伝送される処理のフローチャートである。
【００３３】
まず、第１のユーザ拠点の試験信号送信装置１１は、試験信号を生成する（Ｓ１１）。なお、試験信号送信装置１１は、所定のタイミングで定期的に試験信号を生成し、送信するものとする。また、試験信号送信装置１１は、ユーザの指示を受け付けて試験信号を生成し、送信することとしてもよい。
【００３４】
図５は、試験信号のデータフォーマットの一例を示す図である。試験信号は、試験識別フラグ４１と、サービスＩＤ４２と、ユーザＩＤ４３と、送信元ＩＤ４４と、宛先ＩＤ４５と、その他の情報（拡張情報、予備情報など）４６と、を有する。試験識別フラグ４１には、試験信号であることを識別するためのフラグが設定される。サービスＩＤ４２には、ユーザに提供するＷＡＮサービスの種別（例えば、広域イーサネット（登録商標）、ＩＰ−ＶＰＮなど）が設定される。
【００３５】
ユーザＩＤ４３には、ＷＡＮ３を利用するユーザのユーザＩＤが設定される。送信元ＩＤ４４には、試験信号送信装置１１の設置場所の識別情報、または、試験信号送信装置１１が設置されているユーザ拠点の識別情報が設定される。宛先ＩＤ４５には、試験信号の宛先である試験信号受信装置２１の設置場所の識別情報、または、試験信号受信装置２１が設置されているユーザ拠点の識別情報が設定される。
【００３６】
そして、試験信号送信装置１１は、生成した試験信号を、試験信号受信装置２１を宛先としてＷＡＮ３に送信する（Ｓ１２）。なお、試験信号は、第１のユーザ拠点の通常のデータ（各業務装置１２が送出するデータ）と同じインターフェース（インチャネル）でＷＡＮ３に送信される。また、ＷＡＮ３のエッジスイッチ３１および伝送装置３２は、通常のデータと同様のルートで、送信側の経路検知装置３３に試験信号を伝送する。
【００３７】
そして、送信側の経路検知装置３３は、試験信号および通常のデータを含む各種の信号を、インチャネルで伝送装置３２から受信し、受信した信号が試験信号の場合は通信経路を検知するためのルート検知信号を生成する。すなわち、経路検知装置３３の光複写部８１は、伝送装置３２から受信した信号（光信号）を、光学的に複写（コピー）し、受信した信号と複写した信号とを分離しておく（Ｓ１３）。そして、Ｅ／Ｏ変換部８２は、複写した光信号を電気信号に変換する（Ｓ１４）。
【００３８】
そして、判別部８３は、変換した電気信号が、検知対象の試験信号か否かを判別する（Ｓ１５）。判別部８３は、当該経路検知装置３３のメモリ等の記憶装置に設定された検知条件を参照して、試験信号か否かを判別するものとする。なお、検知条件設定部８４は、システム管理者（またはユーザ）の指示を受け付けて、受け付けた検知条件をあらかじめ記憶装置に設定するものとする。なお、検知条件としては、試験識別フラグが設定されている試験信号（図５参照）全てを、検知対象の試験信号とする場合が考えられる。また、試験信号に設定される各項目を抽出パラメータとして、例えば、所定のユーザＩＤが設定された試験信号のみを検知対象の試験信号としてフィルタリング（抽出）する検知条件を設定する場合が考えられる。
【００３９】
検知対象の試験信号であると判別した場合（Ｓ１５：ＹＥＳ）、Ｅ／Ｏ変換部８２は、電気信号を、試験信号の波長とは異なる所定のなだらかな波長の光信号（以下、「ルート検知信号」）に変換する（Ｓ１６）。そして、波長多重部８５は、Ｓ１３で伝送装置３２から受信した試験信号の光信号と、Ｓ１６で変換したルート検知信号の光信号とを、光波長多重する（Ｓ１７）。そして、波長多重部８５は、光コネクト部８６を介して、光波長多重した複数の異なる波長の光信号を、接続された光ファイバーに送出する（Ｓ１８）。
【００４０】
図６は、試験信号とルート検知信号の波長分布図である。経路検知装置３３を通過する前の信号６ａは、図示するように所定の波長の試験信号６１のみである。そして、経路検知装置３３がＳ１６およびＳ１７の処理を行うことにより、経路検知装置３３を通過後の信号６ｂは、元の試験信号６１と、ルート検知信号６２の２つの信号を有する。ルート検知信号６２は、試験信号とは異なる波長であって、かつ、所定のなだらかな波長の光信号である。
【００４１】
一方、検知対象の試験信号でないと判別した場合（Ｓ１５：ＮＯ）、Ｅ／Ｏ変換部８２は、変換した電気信号を破棄する（Ｓ１９）。そして、波長多重部８５は、光コネクト部８６を介して、Ｓ１３で伝送装置３２から受信した光信号を、そのまま光ファイバーに送出する（Ｓ１８）。以上の処理により、送信側の経路検知装置３３は、試験信号からルート検知信号を生成し、光ファイバーに送出する。
【００４２】
そして、光ファイバーの所定の接続ポイントに設置された光波長フィルタ装置３７各々は、光ファイバーから入力した光信号のうち、特定の波長の光のみを反射し、それ以外の光信号は透過して出力先の光ファイバーに出力する。
【００４３】
本実施形態の各光波長フィルタ装置３７は、光ファイバグレーティング（FBG：Fiber Bragg Grating）の技術を用いた装置であって、ルート検知信号（図６参照）の範囲内において、それぞれ異なるユニークな波長だけを反射し、他の波長については透過するように、あらかじめ設定されているものとする。なお、光波長フィルタ装置３７および経路検知装置３３各々は、対向して配置され伝送装置３２間の伝送区間（図２参照）内でユニークな波長が割り当てられ、自装置に割り当てられた波長のみを反射するように設定されている。
【００４４】
また、本実施形態の各光波長フィルタ装置３７は、電源を不要とする。すなわち、光波長フィルタ装置３７の電源を確保する必要がないため、光波長フィルタ装置３７の設置場所を自由に選択できるとともに、光波長フィルタ装置３７を容易に設置することができる。
【００４５】
光ファイバグレーティングは、光ファイバーのコア部の屈折率を変化させたものでグレーティング長、周期、屈折率増加量を変化させることにより特定の波長（ブラッグ波長）の光を任意に反射させることができる。
【００４６】
したがって、各光波長フィルタ装置３７は、経路検知装置３３が光波長多重により伝送した光信号のうち、試験信号については透過し、光ファイバーを介して次の光波長フィルタ装置３７に中継する。また、各光波長フィルタ装置３７は、光波長多重により伝送された光信号うちルート検知信号については、当該自装置に割り当てられた特定の波長の光信号部分のみを反射し、それ以外の部分の光信号については透過して光ファイバーを介して次の光波長フィルタ装置３７に中継する（Ｓ２０）。なお、各光波長フィルタ装置３７は、業務装置１２が送信した通常のデータについては、そのまま透過する。
【００４７】
図７は、光波長多重により伝送された光信号の伝送処理を示すシーケンス図である。なお、図示するシーケンス図では、光クロスコネクト３９は省略している。
【００４８】
まず、送信側の経路検知装置３３ｓは、伝送装置３２から受信した試験信号と、生成したルート検知信号とを、光ファイバーを介して光波長フィルタ装置Ａ３７ａに送出する。
【００４９】
光波長フィルタ装置Ａ３７ａは、試験信号についてはそのまま透過して光ファイバーを介して光波長フィルタ装置Ｂ３７ｂに送出する。また、光波長フィルタ装置Ａ３７ａは、ルート検知信号については、当該光波長フィルタ装置Ａ３７ａに割り当てられた特定の波長Ａだけを反射して反射波Ａ（応答信号）を送信側の経路検知装置３３ｓに送出し、ルート検知信号から波長Ａを除いたルート検知信号を光波長フィルタ装置Ｂ３７ｂに送出する。
【００５０】
光波長フィルタ装置Ｂ３７ｂは、光波長フィルタ装置Ａ３７ａと同様に、試験信号についてはそのまま透過して光波長フィルタ装置Ｃ３７ｃに送出し、ルート検知信号については当該光波長フィルタ装置Ｂに割り当てられた波長Ｂだけを反射して、反射波Ｂ（応答信号）を光波長フィルタ装置Ａを介して送信側の経路検知装置３３ｓに送出する。また、光波長フィルタ装置Ｂ３７ｂは、光波長フィルタ装置Ａが送信したルート検知信号から波長Ｂを除いたルート検知信号を、光波長フィルタ装置Ｃ３７ｃに送出する。光波長フィルタ装置Ｃ３７ｃも、光波長フィルタ装置Ａおよび光波長フィルタ装置Ｂと同様の処理を行う。
【００５１】
そして、受信側の経路検知装置３３ｒは、試験信号についてはそのまま透過して伝送装置３２に送出する。すなわち、受信側の経路検知装置３３ｒの信号解析部９１は、光コネクト部８６を介して受信した信号が試験信号であると判別し、当該受信側の経路検知装置３３ｒに接続された伝送装置３２に試験信号を送出する。
【００５２】
また、受信側の経路検知装置３３ｒは、ルート検知信号については当該経路検知装置に割り当てられた波長Ｄだけを反射して、反射波Ｄ（応答信号）を各光波長フィルタ装置３７ｃ、３７ｂ、３７ａを介して送信側の経路検知装置３３ｓに送出する。なお、受信側の経路検知装置３３ｒにおける光コネクト部８６の光波長フィルタ部９５は、光波長フィルタ装置と同様の機能を有し、反射波Ｄを送出する。但し、光波長フィルタ部９５は、光波長フィルタ装置とは異なり、波長Ｄを除いたルート検知信号の送出は行わない。
【００５３】
なお、各装置が送出する反射波は、中継する各光波長フィルタで再反射されることなく送信側の経路検知装置３３ｓに送信される。
【００５４】
そして、送信側の経路検知装置３３は、光波長フィルタ装置３７および受信側の経路検知装置３３の各反射波（応答信号）を受信（収集）し、経路情報を生成する（Ｓ２１）。すなわち、送信側の経路検知装置３３の信号解析部９１は、光コネクト部８６を介して各種の信号（反射波、試験信号、通常のデータ等）を光ファイバーから受信する。そして、信号解析部９１は、受信した信号を解析し、反射波の場合は経路情報生成部９２に反射波を送出する。
【００５５】
そして、経路情報生成部９２は、試験信号が通過した各装置の反射波に基づいて、当該伝送区間における経路情報を生成する。具体的には、経路情報生成部９２は、Ｓ１３で受信した試験信号に設定された試験信号情報、受信した各反射波、当該送信側の経路検知装置の装置ＩＤ、および時刻（例えば、経路情報を生成した時刻など）を含む経路情報を生成する。なお、装置ＩＤについては、経路検知装置３３の記憶装置にあらかじめ記憶されているものとする。
【００５６】
そして、経路情報生成部９２は、生成した経路情報を経路情報ＤＢ４２に書き込むための書き込み要求を、コネクト部９３を介して管理装置４に送信する。管理装置４の制御部４１は、書き込み要求を受け付けて、経路情報を経路情報ＤＢ４２に書き込む（Ｓ２２）。
【００５７】
図８は、管理装置４の経路情報ＤＢ４２の一例を示す図である。図示する経路情報ＤＢ４２は、試験信号情報４２１と、受信した各反射波４２２と、装置ＩＤ４２３と、時刻４２４とを有する。
【００５８】
以上で、ＷＡＮ３の所定の伝送区間における試験信号の伝送処理について説明した。他の伝送区間においても、図４の処理と同様に、当該伝送区間に配置された送信側の経路検知装置３３は、伝送装置３２から試験信号を受信し、当該試験信号からルート検知信号を生成する。そして、送信側の経路検知装置３３は、当該伝送区間において試験信号およびルート検知信号が通過した各装置から反射波を収集し、当該伝送区間の経路情報を生成し、経路情報ＤＢ４２に書き込む。
【００５９】
したがって、管理装置４の経路情報ＤＢ４２には、検知対象の試験信号の通信経路が、伝送区間単位で記憶される。試験信号送信装置１１（または試験信号受信装置２１）は、所定のタイミングまたは必要に応じて経路情報ＤＢ４２にアクセスし、試験信号の通信経路を取得する。すなわち、試験信号送信装置１１は、自ら生成した試験信号の試験信号情報を検索キーとして、管理装置４に経路情報を要求する。
【００６０】
管理装置４の制御部４１は、試験信号送信装置１１からの要求を受け付けて、検索キーとして指定された試験信号情報を有するレコードを経路情報ＤＢ４２から抽出する。そして、制御部４１は、抽出したレコード各々について、装置管理テーブル４３を参照して、試験信号の伝送ルート情報を生成する。
【００６１】
なお、装置管理テーブル４３は、ＷＡＮ３に設置された全ての経路検知装置３３および光波長フィルタ装置３７毎に、当該装置の装置ＩＤ、当該装置に割り当てられた特定の波長、および、当該装置の設置場所（例えば、当該装置が接続されている光ファイバーの敷設場所など）などが記憶されている。
【００６２】
制御部４１は、経路情報ＤＢ４２から抽出したレコードに設定された反射波各々について、対応する装置ＩＤおよび設置場所を装置管理テーブル４３から特定する。そして、制御部４１は、抽出したレコードに設定された経路検知装置３３の装置ＩＤに対応する伝送区間の伝送ルートとして、特定した各装置ＩＤおよび各設置場所と、抽出したレコードに設定された時刻とを含む試験信号の伝送ルート情報を生成する。そして、制御部４１は、抽出したレコード毎に生成した伝送ルート情報を、試験信号送信装置１１に送信する。
【００６３】
試験信号送信装置１１は、受信した伝送ルート情報をディスプレイまたはプリンタなどの出力装置に出力する。これにより、ユーザまたはシステム管理者は、試験信号がＷＡＮ３内でどのような通信経路を使用して伝送されているかを容易に把握することができる。また、伝送ルート情報には時刻が含まれているため、試験信号送信装置１１が定期的に試験信号を送信することで、使用される通信経路が変化した場合、通信経路が変更されたことおよび変更された時間帯を検知することができる。
【００６４】
以上説明した本実施形態では、各伝送区間に配置された送信側の経路検知装置３３は、受信した試験信号からルート検知信号を生成し、当該伝送区間において試験信号およびルート検知信号が通過した各装置から反射波を収集し、当該伝送区間の経路情報を生成する。これにより、ＷＡＮ３における信号の通信経路をより容易に検知し、ＷＡＮ３の信頼性をより向上することができる。
【００６５】
また、本実施形態では、試験信号とルート検知信号とは異なる波長の光信号である。これにより、試験信号とルート検知信号とを光波長多重伝送することができる。また、試験信号は、通常のデータと同じ伝送ルートでＷＡＮ３を介して試験信号受信装置２１に送信される。これにより、通常のデータが実際に伝送される、より精度の高い通信経路を検知することができる。
【００６６】
また、本実施形態では、光波長フィルタ装置３７および経路検知装置３３各々は、ルート検知信号の特定の波長のみを反射する。そして、送信側の経路検知装置３３は、各装置から収集した反射波（応答信号）を含む経路情報を生成する。これにより、ＷＡＮ３における信号の通信経路をより容易に検知することができる。
【００６７】
また、本実施形態では、経路検知装置３３が生成した経路情報は、管理装置４の経路情報ＤＢ４２に一元的に管理される。これにより、ユーザは、試験信号がＷＡＮ３内でどのような通信経路を使用して伝送されているかを容易に把握することができる。また、伝送ルート情報には時刻が含まれているため、試験信号送信装置１１が定期的に試験信号を送信することで、使用される通信経路が変化した場合、通信経路が変更されたことおよび変更された時間帯を容易に検知することができる。
【００６８】
また、本実施形態の各光波長フィルタ装置３７は、電源を不要とする。すなわち、光波長フィルタ装置３７の電源を確保する必要がないため、光波長フィルタ装置３７の設置場所を自由に選択できるとともに、光波長フィルタ装置３７を容易に設置することができる。
【００６９】
なお、本発明は上記の実施形態に限定されるものではなく、その要旨の範囲内で数々の変形が可能である。例えば、上記実施形態の経路検知システムは、試験信号送信装置１１と試験信号受信装置２１とを備える。しかしながら、これらの装置１１、２１を備えることなく、アクセス回線終端装置１４、２４が、試験信号送信装置１１および試験信号受信装置２１の機能を有することとしてもよい。
【図面の簡単な説明】
【００７０】
【図１】本発明の一実施形態が適用された経路検知システムの全体構成を示す図である。
【図２】各スイッチ間の機器構成の一例を示す図である。
【図３】経路検知装置の機能ブロック図である。
【図４】試験信号の伝送処理のフローチャートである。
【図５】試験信号のデータフォーマットの一例を示す図である。
【図６】試験信号とルート検知信号の波長分布図である
【図７】光波長多重された信号の伝送処理を示すシーケンス図である。
【図８】経路情報ＤＢの一例を示す図である。
【図９】ＷＡＮサービスにおけるネットワーク上のレイヤを説明するための説明図である。
【符号の説明】
【００７１】
１：第１のユーザ拠点、１１：試験信号送信装置、１２：業務装置、１３：ＬＡＮ、１４：アクセス回線終端装置、２：第２のユーザ拠点、２１：試験信号受信装置、２２：業務装置、２３：ＬＡＮ、２４：アクセス回線終端装置、３：ＷＡＮ、３１：エッジスイッチ、３２：伝送装置、３３：経路検知装置、３４：中継スイッチ、３５：光ファイバー、３７：光波長フィルタ装置、３９：光クロスコネクト、４：管理装置、４１：制御部、４２：経路情報ＤＢ、４３：装置管理テーブル
【図３】
0004684162.tif 000002
【図４】
0004684162.tif 000003
【図５】
0004684162.tif 000004
【図６】
0004684162.tif 000005
【図７】
0004684162.tif 000006
【図８】
0004684162.tif 000007
【図１】
0004684162.tif 000008
【図２】
0004684162.tif 000009
【図９】
0004684162.tif 000010